【手続補正書】
【提出日】平成18年4月25日(2006.4.25)
【手続補正１】
【補正対象書類名】明細書
【補正対象項目名】発明の名称
【補正方法】変更
【補正の内容】
【発明の名称】画像符号化装置及び方法、並びに画像復号装置及び方法
【手続補正２】
【補正対象書類名】明細書
【補正対象項目名】特許請求の範囲
【補正方法】変更
【補正の内容】
【特許請求の範囲】
【請求項１】  入力画像を算術符号化し、符号化コードストリームを生成する算術符号化手段と、
上記符号化コードストリームを複数のレイヤに分割するレイヤ分割手段と、
各レイヤ毎に複数のパケットを生成するパケット生成手段と、
ヘッダ及び／又は所定の１以上のレイヤのパケットのデータに対して誤り訂正符号化を施す誤り訂正符号化手段と、
上記誤り訂正符号化手段によって生成された検査シンボルを所定のパケットに埋め込む埋込手段と
を備えることを特徴とする画像符号化装置。
【請求項２】  上記所定の１以上のレイヤは、少なくとも最上位レイヤを含むことを特徴とする請求項１記載の画像符号化装置。
【請求項３】  上記埋込手段は、所定の下位レイヤのパケット、所定のパケットのメインヘッダ又はタイルパートヘッダのＣＯＭマーカ、及び、所定のパケットの所定のコードブロック中の一部又は新たに追加したコーディングパスのうちの何れかに上記検査シンボルを埋め込むことを特徴とする請求項１記載の画像符号化装置。
【請求項４】  上記誤り訂正符号化手段は、上記符号化コードストリームを伝送する通信路の誤り率に応じて、誤り訂正符号化を施す対象を設定することを特徴とする請求項１記載の画像符号化装置。
【請求項５】  入力画像を算術符号化し、符号化コードストリームを生成する算術符号化工程と、
上記符号化コードストリームを複数のレイヤに分割するレイヤ分割工程と、
各レイヤ毎に複数のパケットを生成するパケット生成工程と、
ヘッダ及び／又は所定の１以上のレイヤのパケットのデータに対して誤り訂正符号化を施す誤り訂正符号化工程と、
上記誤り訂正符号化工程にて生成された検査シンボルを所定のパケットに埋め込む埋込工程と
を有することを特徴とする画像符号化方法。
【請求項６】  画像符号化装置において入力画像を算術符号化して符号化コードストリームを生成し、上記符号化コードストリームを複数のレイヤに分割して各レイヤ毎に複数のパケットを生成し、ヘッダ及び／又は所定の１以上のレイヤのパケットのデータに対して誤り訂正符号化を施し、この誤り訂正符号化によって生成された検査シンボルを所定のパケットに埋め込むことで得られた符号化コードストリームを入力し、該入力符号化コードストリームを復号して上記入力画像を復元する画像復号装置であって、
上記入力符号化コードストリームを解析する解析手段と、
上記所定のパケットから上記検査シンボルを抽出する抽出手段と、
上記検査シンボルを用いて、上記ヘッダ及び／又は所定の１以上のレイヤのパケットのデータに対して誤り訂正復号を施す誤り訂正復号手段と、
上記誤り訂正復号後の符号化コードストリームを復号する復号手段と
を備えることを特徴とする画像復号装置。
【請求項７】  上記入力符号化コードストリームは、所定の下位レイヤのパケット、所定のパケットのメインヘッダ又はタイルパートヘッダのＣＯＭマーカ、及び、所定のパケットの所定のコードブロック中の一部又は新たに追加したコーディングパスのうちの何れかに上記検査シンボルが埋め込まれたものであり、
上記抽出手段は、上記検査シンボルを抽出すると共に、上記所定の下位レイヤのパケット、上記所定のパケットのメインヘッダ又はタイルパートヘッダのＣＯＭマーカ、及び、上記所定のパケットの所定のコードブロック中の一部又は新たに追加したコーディングパスのうち、上記検査シンボルが埋め込まれていた部分のデータを廃棄し又は全て０とする
ことを特徴とする請求項６記載の画像復号装置。
【請求項８】  画像符号化装置において入力画像を算術符号化して符号化コードストリームを生成し、上記符号化コードストリームを複数のレイヤに分割して各レイヤ毎に複数のパケットを生成し、ヘッダ及び／又は所定の１以上のレイヤのパケットのデータに対して誤り訂正符号化を施し、この誤り訂正符号化によって生成された検査シンボルを所定のパケットに埋め込むことで得られた符号化コードストリームを入力し、該入力符号化コードストリームを復号して上記入力画像を復元する画像復号方法であって、
上記入力符号化コードストリームを解析する解析工程と、
上記所定のパケットから上記検査シンボルを抽出する抽出工程と、
上記検査シンボルを用いて、上記ヘッダ及び／又は所定の１以上のレイヤのパケットのデータに対して誤り訂正復号を施す誤り訂正復号工程と、
上記誤り訂正復号後の符号化コードストリームを復号する復号工程と
を有することを特徴とする画像復号方法。
【手続補正３】
【補正対象書類名】明細書
【補正対象項目名】０００１
【補正方法】変更
【補正の内容】
【０００１】
【発明の属する技術分野】
本発明は、例えばＪＰＥＧ−２０００方式に従って符号化コードストリームを生成する過程で誤り訂正符号化を施す画像符号化装置及びその方法、並びに符号化コードストリームに埋め込まれた誤り訂正符号を用いて誤り訂正を行う画像復号装置及びその方法に関する。
【手続補正４】
【補正対象書類名】明細書
【補正対象項目名】００１１
【補正方法】変更
【補正の内容】
【００１１】
本発明は、このような従来の実情に鑑みて提案されたものであり、例えばＪＰＥＧ−２０００方式に従って画像を符号化する過程で、容易且つ効率的に誤り訂正符号化を施す画像符号化装置及びその方法、並びに符号化コードストリームに埋め込まれた誤り訂正符号を用いて誤り訂正を行う画像復号装置及びその方法を提供することを目的とする。
【手続補正５】
【補正対象書類名】明細書
【補正対象項目名】００１２
【補正方法】変更
【補正の内容】
【００１２】
【課題を解決するための手段】
上述した目的を達成するために、本発明に係る画像符号化装置及びその方法は、入力画像を算術符号化して符号化コードストリームを生成し、生成した符号化コードストリームを複数のレイヤに分割して各レイヤ毎に複数のパケットを生成し、ヘッダ及び／又は所定の１以上のレイヤのパケットのデータに対して誤り訂正符号化を施し、この誤り訂正符号化によって生成された検査シンボルを所定のパケットに埋め込む。
【手続補正６】
【補正対象書類名】明細書
【補正対象項目名】００１３
【補正方法】変更
【補正の内容】
【００１３】
一方、上述した目的を達成するために、本発明に係る画像復号装置及びその方法は、画像符号化装置において入力画像を算術符号化して符号化コードストリームを生成し、生成した符号化コードストリームを複数のレイヤに分割して各レイヤ毎に複数のパケットを生成し、ヘッダ及び／又は所定の１以上のレイヤのパケットのデータに対して誤り訂正符号化を施し、この誤り訂正符号化によって生成された検査シンボルを所定のパケットに埋め込むことで得られた符号化コードストリームを入力し、該入力符号化コードストリームを復号して入力画像を復元するものであり、入力符号化コードストリームを解析し、上記所定のパケットから検査シンボルを抽出し、この検査シンボルを用いて、ヘッダ及び／又は所定の１以上のレイヤのパケットのデータに対して誤り訂正復号を施し、誤り訂正復号後の符号化コードストリームを復号する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
このような画像符号化装置及びその方法では、例えばＪＰＥＧ−２０００方式に従って符号化コードストリームを生成する際に、ヘッダ及び／又は所定の１以上のレイヤのパケットのデータに対して誤り訂正符号化を施し、得られた検査シンボルをまとめて、例えば所定の下位レイヤのパケット、ＣＯＭマーカ、或いは所定のパケットの所定のコードブロック中の一部又は新たに追加されたコーディングパスに埋め込む。そして画像復号装置及びその方法では、埋め込まれた検査シンボルを抽出し、この検査シンボルを用いて、ヘッダ及び／又は所定の１以上のレイヤのパケットのデータに対して誤り訂正復号を施す。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００９３
【補正方法】変更
【補正の内容】
【００９３】
【発明の効果】
以上詳細に説明したように、本発明に係る画像符号化装置及びその方法、並びに画像復号装置及びその方法によれば、画像符号化装置において、例えばＪＰＥＧ−２０００方式に従って符号化コードストリームを生成する際に、ヘッダ及び／又は所定の１以上のレイヤのパケットのデータに対して誤り訂正符号化を施し、得られた検査シンボルをまとめて、例えば、所定の下位レイヤのパケット、ＣＯＭマーカ、或いは所定のパケットの所定のコードブロック中の一部又は新たに追加されたコーディングパスに埋め込み、画像復号装置において、埋め込まれた検査シンボルを抽出し、この検査シンボルを用いて、ヘッダ及び／又は所定の１以上のレイヤのパケットのデータに対して誤り訂正復号を施すことにより、符号化の際に容易且つ効率的に誤り訂正符号化を施し、復号の際に誤り訂正を行うことができる。さらに、誤り訂正符号化の対象とするレイヤ数等を変化させることにより、符号化コードストリームを伝送する通信路の誤り率に応じて、誤り訂正能力を変更することができる。
【手続補正２０】
【補正対象書類名】明細書
【補正対象項目名】００９４
【補正方法】削除
【補正の内容】